(57)【特許請求の範囲】
【請求項１】
血液流入口と血液流出口を有するハウジング内に血液から気泡を除去する消泡部を少なくとも有する貯血槽において、前記消泡部が目の粗い消泡層と前記目の粗い消泡層よりも目の細かい消泡層とで構成され、血液流入口の近位に目の粗い消泡層が、遠位に目の細かい消泡層が位置するように配置されており、目の粗い消泡層と細かい消泡層の間に、血液が一時貯留され、血液とともに目の粗い消泡層を通過した気泡を、その貯留した血液の液面上部に集めることのできる間隙が設けられ、前記目の粗い消泡層と前記目の細かい消泡層とが円柱状に形成され、前記間隙が両層の間に設けられており、前記両層との間に設けられた間隙が、３〜５０ｍｍであり、前記間隙には、前記目の粗い消泡層を通過し前記間隙に貯留された血液中に混入した気泡が浮力により血液の液面側へ上昇する際に前記気泡の上昇を妨げる障害物がないことを特徴とする貯血槽。
【請求項２】
前記間隙に、中空円柱状の位置規制部品が設けられてなる請求項１に記載の貯血槽。
【請求項３】
前記目の細かい消泡層の孔の開口寸法が、４０〜１２０μｍであることを特徴とする請求項１または２に記載の貯血槽。
【請求項４】
請求項１〜３のいずれかの項に記載の貯血槽が、血液の異物を除去するための濾過層をさらに備えたことを特徴とする貯血槽。
【発明の詳細な説明】
【０００１】
【発明の属する技術分野】
本発明は、体外循環回路に設置され、血液中の気泡等を除去するための貯血槽、更に詳しくは、特に、消泡持続性能に優れた貯血槽に関するものである。
【０００２】
【従来の技術】
心臓手術を行なう場合に、その間の心臓や肺の機能の代替手段として、人工肺体外循環用血液回路を使用した体外循環が行われる。この血液回路には、患者の静脈より脱血された静脈血に酸素を付加するための人工肺、静脈より脱血された血液を一次貯留するための貯血槽(「静脈血貯血槽」と呼ばれる)が設けられている。また、心腔内にあふれ出た血液を回収し一時貯留するための貯血槽（「心内血貯血槽」と呼ばれる）が、前記静脈血貯血槽と一体的（「心内血貯血槽一体型静脈血貯血槽」と呼ばれる）にまたは別に設置される。前記心内血貯血槽は、血液を一時的に貯留する貯留部だけではなく、体外循環の術野から吸引等した血液を消泡する消泡部と血液中の異物（微粒子、肉片、脂肪、凝血塊等）を濾過する濾過部とからなる血液処理部を有しており、これら貯血槽内で調製した血液を回路内に戻すことにより、体外循環をより安全にしている。
【０００３】
上記静脈血貯血槽、心内血貯血槽、および心内血貯血槽一体型静脈血貯血槽に使用される消泡部は、一般的に、その表面にシリコーン等の消泡剤を担持したウレタンフォーム等の網目状多孔性スポンジ等が使用され、血液が消泡部を通過する際に、血液中に混入した気泡が消泡剤と接触して破泡される構成のものが知られている。その他、消泡部について、微小気泡の通過や血液通過時の圧力上昇による血液の破壊を防止等すべく種々の構成のものが開示されているが、その１例として、特開平２−６０６５７号公報に記載のものがある。
【０００４】
該公報に記載の貯血槽では、網目状の三次元立方体（発泡体）とその下流側に近接して設けられた目開き５０〜３００メッシュの網状体とから構成された消泡材および除泡材が使用されており、比較的大きな気泡は発泡体で消泡し、発泡体を通過した微小気泡は網状体で除泡することができるので、気泡が残ったままの血液が患者に返還されることがない旨記載されている。また、網状体の上部と下部に異なった目開きのものを使用すると、微小気泡は目開きの細かい網状体により主に除去され、目開きの荒い網状物により血液の通過時の圧力損失の上昇を押さえることができるので、目開きの細かい網状物が微小気泡や異物等で目詰まりした場合であっても、目開きの荒い網状物を血液が流れて血液の流れが止まることがない旨記載されている。
【０００５】
ところで、消泡部、或いは消泡部および濾過部からなる血液処理部の上部および下部がウレタン等の接着剤によりシールされて設置される貯血槽の場合（一般に「クローズ型」と呼ばれる）、消泡部によって破泡された気泡の気体は、消泡部、消泡部および濾過部の血液によって浸潤されていない箇所を通過し、外部へ流出する。消泡部、濾過部のいずれか一方でも血液によってが完全に浸潤されると、気泡の気体の流出口が無くなり、気体を外部へ流出させることができず、貯血槽の寿命は終了する。すなわち、消泡部あるいは濾過部の浸潤の進行の程度は、貯血槽の寿命を決定する要因の一つである。
【０００６】
【発明が解決しようとする課題】
前記公報に記載のものが、上記クローズ型に使用される場合、（１）発泡体と網状体とが近接しているため、発泡体が浸潤すると、そのことによって網状体も直ぐに発泡体の浸潤した箇所と同じ高さまで浸潤してしまう。そのため、気体の流出口が狭くなるのも早く、貯血槽の寿命が終了するのが早いという問題がある。（２）また、発泡体と網状体とが近接しているため、発泡体を通過した血液の気泡が浮力によって液体から分離されるまでの時間が短く、気泡が網状体下部の目開きの荒い網状体を通過し、気泡が残ったままの血液が患者に返還される恐れがある。（３）さらには、気泡と液体が充分に分離されないまま網状体によって除泡されるため、除泡効率も良くない。これらのことは、血液の泡立ちが激しく異物による消泡部の目詰まりが生じやすい心内血の消泡に使用する場合にあっては、より顕著な問題である。
【０００７】
現在、市場に提供されている消泡持続性能の比較的高い心内血貯血槽であっても、手術の種類等によっては、大きな異物を含んだ血液を吸引等することによって、直ぐに消泡部が浸潤し機能しなくなることがある。このような事態を想定して、回路には予め交換用の心内血貯血槽を接続するためのポートが設けられ、該ポートに新しい心内血貯血槽を接続して手術を続行している例もあり、より優れた消泡持続性能を有する血貯槽の提供が要請されている。
【０００８】
したがって、本発明の目的は、より消泡持続性能の優れた貯血槽を提供することにある。
【０００９】
【課題を解決するための手段】
上記課題を解決するために、本発明にかかる貯血槽は、血液流入口と血液流出口を有するハウジング内に血液から気泡を除去する消泡部を少なくとも有する貯血槽において、前記消泡部が目の粗い消泡層と前記目の粗い消泡層よりも目の細かい消泡層とで構成され、血液流入口の近位に目の粗い消泡層が、遠位に目の細かい消泡層が位置するように配置されており、目の粗い消泡層と細かい消泡層の間に、血液が一時貯留され、血液とともに目の粗い消泡層を通過した気泡を、その貯留した血液の液面上部に集めることのできる間隙が設けられ、前記目の粗い消泡層と前記目の細かい消泡層とが円柱状に形成され、前記間隙が両層の間に設けられており、前記両層との間に設けられた間隙が、３〜５０ｍｍであり、前記間隙には、前記目の粗い消泡層を通過し前記間隙に貯留された血液中に混入した気泡が浮力により血液の液面側へ上昇する際に前記気泡の上昇を妨げる障害物がないことを特徴とするものである。
【００１０】
かかる構成とすることにより、目の粗い消泡層を通過した血液を、該血中の気泡が浮力により上昇し液体と分離されるまでに必要且つ十分な時間、間隙に滞留させることができ、該浮力により上昇した気泡は、液面に集められ、目の細かい消泡層に順次接触し破泡されるので、効率的に消泡を行なうことができる。
【００１１】
また、本発明にかかる貯血槽は、目の粗い消泡層と目の細かい消泡層を離して配置したこと、および上述のとおり効率的に消泡を行なうことができることから、目の細かい消泡層の浸潤の進行を遅らせることができる。したがって、血液から分離された気泡の気体が消泡層外へ流出するために必要な浸潤されていない箇所が、従来に比べて、広く且つ長い時間確保することができることから、消泡持続性能を高くすることができる。
【００１２】
また、本発明にかかる貯血槽は、前記浮力により上昇した気泡を、目の細かい消泡層に到達するまでの間に、より大きな気泡に成長させ、該気泡を消泡することから、より確実に気泡の消泡を行なうことができる。
【００１３】
また、本発明にかかる貯血槽は、貯血槽の血液処理部が消泡層の外側にさらに濾過層を備えるものである場合において、濾過層の浸潤の進行も遅らせることができる。濾過層が完全に浸潤すると気体の流出口が無くなって貯血槽の寿命が終了するが、本発明にかかる貯血槽によれば、気泡は目の細かい消泡層によってより効率的且つ確実に除去されることから、目の細かい消泡層を通過する微小気泡による濾過層の浸潤の進行の程度が低減され、至って、より長寿命の貯血槽を提供することができる。
【００１４】
尚、本発明にかかる貯血槽において使用する「浸潤」とは、液体状および気泡状の血液によって、消泡層や濾過層の表面が覆われた状態を意味する。また、「浸潤高さ」とは、消泡層や濾過層の気体の通過不可能となった浸潤された部分までの高さを意味する。
【００１５】
また、本発明にかかる貯血槽において使用する「粗い」、「細かい」目とは、２層の消泡層について相対的な意味で使用するものであり、その具体的程度については後述する。
【００１６】
【発明の実施の形態】
以下、本発明の実施形態にかかる貯血槽について、図１〜図６を参照しながら説明する。
【００１７】
図１及び図２は、本発明の実施形態にかかる貯血槽の血液処理部１の消泡の原理を説明する概念図である。図１は、血液処理部の正面断面図である。尚、本実施態様においては、消泡層と濾過層とが組み合わされた心内血貯血槽用の血液処理部を例に説明するが、本発明の貯血槽は、消泡層のみからなる血液処理部を内蔵する静脈血貯血槽をも包含するものである。
【００１８】
血液処理部１の基本構造は、血液流入口６の周囲を取り囲むように消泡層が配置され、その外側に濾過層が配置される。図１又は図２に示す２は目の粗い消泡層、３は目の細かい消泡層、４は濾過層である。目の粗い消泡層２、目の細かい消泡層３はいずれも中空円柱状である。目の粗い消泡層２と目の細かい消泡層３は、相互に離れて配置されており、両者の間に間隙５Ａが形成されている。濾過層４は、複数のひだ（プリーツ）が形成されており、目の細かい消泡層３の外周を被覆するように配置されている。濾過層４のプリーツは、濾過のための表面積を稼ぐとともに、目の細かい除泡層３との間に間隙５Ｂを形成している。目の粗い消泡層２、目の細かい消泡層３、および濾過層４の上下両端部は、ポリウレタン等の接着剤１１によって気密にシールされている。
【００１９】
前記目の粗い消泡層２は、孔の開口寸法が３００〜１０００μｍ、厚さ５〜１５ｍｍ程度のものが適当であるが、その材質としては、例えば、発泡ポリウレタン、発泡ポリエチレン、発泡ポリスチレン等の発泡体や、ポリエチレン、ポリエステル、ポリプロピレン等のメッシュ、多孔質セラミック等の焼結体等が挙げられる。より好適には、血液の圧力損失が少なく、且つ血液適合性のある材料を用いるのが好ましい。
【００２０】
前記目の細かい消泡層３の材質は、孔の開口寸法が４０〜１２０μｍ、厚さ１〜１０ｍｍ程度のものが適当である。その材質、形態としては、前記目の粗い消泡層２と同様のものであっても良いが、好ましくは、消泡層としての機能を有するとともに、プレフィルターとして役割を有する、例えば、織り物状、編み物状（ニット）、不織布状等であるのが好ましい。消泡層の消泡持続性能が優れていても、濾過層４が異物等によって早期に目詰まりすれば、血液処理部の寿命は終わってしまうため、プレフィルターとしての役割をも有する目の細かい消泡層３によって、比較的大きな異物を除去することにより、濾過層４、延いては、血液処理部１の寿命を長くすることができるからである。
【００２１】
前記目の粗い消泡層２、および目の細かい消泡層３は消泡剤を担持している。消泡剤は、気泡との表面張力の差により破泡させる機能を有するものであり、例えば、シリコーン等が挙げられる。消泡剤の担持方法は、スプレー塗付、含浸等し、乾燥させることにより行われる。
【００２２】
目の粗い消泡層２と目の細かい消泡層３間の間隙５Ａは、可能な限り大きいのが好ましいが、後述する実施例中の記載より、３〜５０ｍｍであるのが好ましい。５０ｍｍ以下としたのは、血液処理部１を内蔵する血貯槽が大きくなりすぎない程度の大きさとして適当だからである。
【００２３】
また、図１および図２中に記載はないが、間隙５Ａに、目の粗い消泡層２と目の細かい消泡層３が内部圧力等によって変形し相互に接触等するのを防止するための位置規制をする部品を設けるのが好ましい。該位置規制をする部品は、例えば、中空円柱状であって、その側壁に、目の粗い消泡層２と目の細かい消泡層３間の血液流路と、目の粗い消泡層２と目の細かい消泡層３間を仕切る隔壁とが交互に形成され、該位置規制をする部品の上下両端が、前記消泡層と濾過層４とともに接着剤１１によって気密にシールされるものが挙げられる。
【００２４】
前記濾過層４は、孔の開口寸法が２０〜４０μｍのものが好ましく、その材質、形態としては、例えば、ポリエチレン、ポリエステル、ポリプロピレン製の不織布、スクリーンメッシュ等が挙げられる。
【００２５】
尚、上記目の粗い消泡層２、目の細かい消泡層３、濾過層４について共通して使用する「孔の開口寸法」とは、孔の最長孔径のことを意味する。
【００２６】
図３は、本発明の一実施態様にかかる血貯槽の血液処理部１の使用初期を説明する図である。気泡や異物等が混入した血液は、血液流入口６を通って、目の粗い消泡層の内腔２１に入る。血液中に混入した気泡は、浮力により血液の液面上部に集まる。目の粗い消泡層２の孔を通過できない程度の大きな気泡は、消泡剤が塗付等された目の粗い消泡層２の表面に接触して破泡され、該気泡の気体は、目の粗い消泡層の浸潤高さより上部２ａ、間隙５Ａ、目の細かい消泡層３の浸潤高さより上部３ａを経て、濾過層４の浸潤高さより上部４ａを通過し、血液処理部外へ流出する。
【００２７】
目の粗い消泡層２の孔より小さな気泡は血液とともに目の粗い消泡層２を通過し、間隙５Ａに一時貯留され、浮力により血液の液面上部に集められる。該小さな気泡は、目の細かい消泡層３の表面に順次接触して、気泡は破泡され、液体から分離された気体は、細かい目の消泡層３の浸潤高さより上部３ａ、濾過層４の浸潤高さより上部４ａを通過し、血液処理部外へ流出する。以上のようにして、目の粗い消泡層２および目の細かい消泡層３によって、ほとんどすべての気泡が液体から分離されて消泡が行われる。
【００２８】
血液中の異物の濾過は、濾過層４によって行われるが、異物の大きさによっては、目の粗い消泡層２、目の細かい消泡層３でも濾過される。
【００２９】
図４は、本発明の一実施態様にかかる貯血槽の血液処理部１の使用中期を説明する図である。目の粗い消泡層２の浸潤高さは、流入時に血液中に混入していた気泡と、目の粗い消泡層内腔２１へ落下する時に泡立ち生じる気泡によって、また、目の粗い消泡層を通過できない大きな異物が、目の粗い消泡層２の目を塞ぎ部分的に目づまりを生じるため、経時的に上昇している。目の細かい消泡層３の浸潤高さも経時的に上昇するが、目の粗い消泡層２と目の細かい消泡層３の間に適当な間隙５Ａを設けたので、目の粗い消泡層２を通過した血液は一旦間隙５Ａに溜まる。したがって、目の細かい消泡層３の浸潤の進行を遅らせることができる。また、間隙５Ａに溜まった血中の気泡は、間隙５Ａに滞留している間に浮力により上昇し液体と分離され、液面で順次目の細かい消泡層３に接触して破泡されるので、効率的に破泡を行なうことができるとともに、結果、よりいっそう目の細かい消泡層３の浸潤の進行を遅らせることができる。至って、血液から分離された気泡の気体が、消泡層外へ流出するために必要な浸潤されていない箇所が、従来に比べて、広く、長い時間確保されることから、消泡持続性能を高くすることができる。
【００３０】
また、消泡部で分離された気泡の気体は、濾過層の浸潤していない部分を通過して血液処理部外へ流出するが、濾過層は消泡剤を担持していないため、目の細かい消泡層を通過した微小気泡が多いと、液体と分離された液面に集められた気泡により濾過層の浸潤が急速に進行する。また分離されない気泡によって濾過層が目詰まりを生じる。至って、濾過層４に気体の流出口が無くなるとともに血液処理部１の内部圧力の上昇により血球が破壊され、貯血槽の寿命が終了する。しかしながら、本発明にかかる貯血槽の血液処理部によれば、上述のとおり、気泡は目の細かい消泡層３によってより効率的且つ確実に除去されることから、目の細かい消泡層を通過する微小気泡の量も少なく、よって濾過層の浸潤の進行の程度も低減され、より長寿命の貯血槽を提供することができる。
【００３１】
図５は、本発明の一実施態様にかかる貯血槽の血液処理部の使用後期を説明する図である。上述のことにより、目の粗い消泡層２の浸潤がさらに進行し、目の粗い消泡層２の内腔２ａの血液流入側内面が、血液と泡によりほぼ全部浸潤された場合、破泡により一旦液体から分離された気体や気泡中の気体は、目の粗い消泡層２の血液流入側内面に気体が流出できる部分がないため、目の粗い消泡層内腔２１内の内部圧力が上昇し、前記気体が目の粗い消泡層２のいずれかの箇所から押し出されて粗い目の消泡層の外側に微細な泡を形成する。
【００３２】
一方、間隙５Ａの液面は、経時的に高くなってはいるが、目の粗い消泡層２の浸潤高さよりも低く、したがって、目の細かい消泡層３の上部には、浸潤されていない部分３ａが残されており、目の細かい消泡層３で破泡された気泡の気体は、細かい目の消泡層３の浸潤高さより上部３ａを通過し、濾過層４の浸潤高さより上部４ａを経て、血液処理部外へ流出する。
【００３３】
図６は、本発明の一実施形態にかかる貯血槽の正面断面図を示す図である。図６に示す７はハウジング本体、８は蓋体、１は血液処理部、９は静脈血濾過部である。
【００３４】
ハウジング７は、概ね四角形状のハウジング上部と、該ハウジング上部から徐々に縮径して、その終端に血液流出部７３が形成されたハウジング下部とを有する。ハウジング上部には、術野から吸引した心内血を消泡および濾過するための血液処理部１が内蔵されている。ハウジング上部からハウジング下部にかけて、静脈血を濾過するめの静脈血濾過部９が内蔵されている。また、ハウジング下部には、血液処理部１によって消泡および濾過された血液と静脈血濾過部９によって濾過された静脈血を一時貯留するための貯血部が形成されている。
【００３５】
蓋体８には、静脈血流入用ポート８１、複数個の吸引血（心内血）流入用ポート８３が形成されており、ハウジング上部の開口と嵌合により連結されている。静脈血入用ポート８１は、蓋体８の上方及び内方の双方に向かってそれぞれ管状体が形成されており、静脈血流入用ポート８１の上方から流入する血液が、蓋体８の内方に向かって形成された管状体に接続されハウジング下部の貯血部の下方まで伸びた可撓管１０によって導かれて、ハウジング下部に流入されるようになっている。
【００３６】
また、蓋体８には、複数の吸引血流入用ポート８３から吸引される血液の流路を規制し、血液処理部１に血液をスムーズに導くための隔壁（図示せず）を蓋体８と別体或いは一体的に形成するのが好ましい。また、蓋体８には、血液処理部１で破泡され、血液から分離された気体をハウジング外に排出するための気体流出用ポート、その他、施術中に薬液を投与するための混注用ポートが適宜形成されている。
【００３７】
前記吸引血流入用ポート８３から吸引された心内血は、血液流入口６から、血液処理部１の目の粗い消泡層内腔２１へ流入し、順次、目の粗い消泡層２、間隙５Ａ、目の細かい消泡層３、濾過層４を経て、消泡および濾過され、受け皿１３内に流入するようになっている。受け皿１３は、前記蓋体８と共同して血液処理部１の中空円筒状上下両端部をシールしている。また、受け皿１３の下部には、血液処理部１で消泡および濾過された血液をハウジング下部に流入させるための排出口１３ａが形成されている。
【００３８】
前記静脈血を濾過するための静脈血濾過部９は、概ねハウジングと同様な形態のフレームに、スクリーンフィルターが貼着されて形成されており、前記血液処理部１の外側を被嵌するように配置されている。また、静脈血濾過部９には、前記受け皿１３の排出口１３ａから流出する血液が、落下等により再び気泡を形成することが無いよう、ハウジング下部に向かって緩やかな斜面９ａを形成している。血液処理部１で消泡および濾過された心内血は、該斜面９ａ上を流れて、ハウジング下部に貯留された静脈血と合流する。静脈血濾過部９は、前記静脈血流入用ポート８１から流入する静脈血を濾過するとともに、前記受け皿１３の排出口１３ａから流出する血液が、落下等により再び気泡を形成した場合の該気泡を除去する。
【００３９】
本実施の形態にかかる貯血槽によれば、内蔵される心内血用血液処理部１が、従来のものに比べて、消泡持続性能に優れるため、長寿命の貯血槽を提供することができる。また、従来、高さ方向に大きい血液処理部を採用することによって長寿命化を図った貯血槽もあったが、該貯血槽は、長寿命化の利益が得られる反面、血液処理部の一部が貯留された血液に漬かるため、消泡剤（シリコーン）の血液中への混入による人体への悪影響、消泡剤の血液中への流出による消泡能の低下の懸念があった。本実施形態にかかる貯血槽によれば、貯血槽に内蔵される血液処理部１が、消泡持続性能に優れると同時に、高さ方向への大きさを小さくすることが可能であるため、貯血槽の最大貯血面（貯血槽に血液が最大量貯留されたときの時の血液の液面）より上に血液処理部を配置することにより、消泡剤（シリコーン）の血液中への混入による人体への悪影響、消泡剤の血液中への流出による消泡能の低下の問題が軽減され、且つ高さ方向への大型化を伴うことのない貯血槽の提供が可能である。
【００４０】
【実施例】
目の粗い消泡層２として、内径８４ｍｍ、高さ４０ｍｍ、厚さ１０ｍｍ、孔径（開口寸法）１３ｐｐｉのポリウレタンフォ−ムを、目の細かい消泡層３として、内径１２４ｍｍ、高さ４０ｍｍ、厚さ２ｍｍ、孔径１２０μｍのポリエステルニットを、同心円状に配置し、これら上下をウレタンによりポッティングした血液処理部１（試料１〜６）について、図７に示す実験回路により、消泡持続性能評価試験を行なった。図７中の１は血液処理部、１３はポンプである。血液は、ヘマトクリット値３５％（２５℃）のクエン酸牛血を使用した。
【００４１】
消泡持続性能評価試験は、試料１〜６について、それぞれ血液流入口６に血液流量５（ｌ／ｍｉｎ）の血液を供給するとともに、この血液に１（ｌ／ｍｉｎ）の割合で気泡を混入させ、ポリエステルニットの全面が浸潤し気泡がポリエステルニットの外側に漏出するまでの時間を測定した。通常、血液処理部１には、２ｌ／ｍｉｎ程度の血液流量の血液が流入されるが、術野に大量出血があった時には、短時間ではあるが５ｌ／ｍｉｎ程度の血液流量で血液が流入されることがあるため、過酷な条件として、血液流量が５ｌ／ｍｉｎの場合の、目標の消泡持続時間を約１０分に設定した。
【００４２】
【表１】
0004332969.tif 000002
【００４３】
表１に示すように、目の粗い消泡層２（ポリウレタンフォ−ム）と目の細かい消泡層３（ポリエステルニット）の間に間隙が全く無い場合に比べて、間隙を設けたものは、その間隙が大きくなるにつれて消泡持続時間が長くなっており、間隙が３ｍｍ以上のものは、目標の消泡持続能を有していた。
【００４４】
【発明の効果】
上記のとおり、本発明にかかる貯血槽は、目の粗い消泡層を通過した血液を、該血中の気泡が浮力により上昇し液体と分離されるまでに必要且つ十分な時間、間隙に滞留させることができ、浮力により上昇し液面に集められた気泡を、目の細かい消泡層に順次接触して効率的に破泡することができる。
【００４５】
また、本発明にかかる貯血槽は、目の粗い消泡層と目の細かい消泡層を離して配置したこと、および上述のとおり効率的に消泡を行なうことができることから、目の細かい消泡層の浸潤の進行を遅らせることができる。したがって、血液から分離された気泡の気体が消泡層外へ流出するために必要な浸潤されていない箇所が、従来に比べて、広く且つ長い時間確保することができることから、消泡持続性能を高くすることができる。
【００４６】
また、本発明にかかる貯血槽は、前記浮力により上昇した気泡を、目の細かい消泡層に到達するまでの間に、より大きな気泡に成長させ、該気泡を消泡することから、より確実に消泡を行なうことができる。
【００４７】
また、本発明にかかる貯血槽は、貯血槽の血液処理部が消泡層の外側にさらに濾過層を備えるものである場合において、上述のとおり、気泡が目の細かい消泡層によって効率的且つ確実に除去されることから、目の細かい消泡層を通過する微小気泡による濾過層の浸潤の進行の程度が低減され、至って、より長寿命の貯血槽を提供することができる。
【００４８】
また、貯血槽に内蔵される血液処理部１が、消泡持続性能に優れると同時に、高さ方向への大きさを小さくすることが可能であるため、貯血槽の最大貯血面より上に血液処理部を配置することにより、消泡剤（シリコーン）の血液中への混入による人体への悪影響、消泡剤の血液中への流出による消泡能の低下の問題が軽減され、且つ高さ方向への大型化を伴うことのない貯血槽の提供ができる。
【００４９】
【図面の簡単な説明】
【図１】本発明の一実施形態にかかる貯血槽の血液処理部の正面断面図である。
【図２】本発明の一実施形態にかかる貯血槽の血液処理部の平面断面図である。
【図３】本発明の一実施態様にかかる貯血槽の血液処理部の使用初期を説明する図である。
【図４】本発明の一実施態様にかかる貯血槽の血液処理部の使用中期を説明する図である。
【図５】本発明の一実施態様にかかる貯血槽の血液処理部の使用後期を説明する図である。
【図６】本発明の一実施形態にかかる貯血槽の正面断面図である。
【図７】消泡持続性能評価試験の実験回路図である。
【符号の説明】
１      血液処理部
２      目の粗い消泡層
２ａ    目の粗い消泡層の浸潤高さより上部
２１    目の粗い消泡層内腔
３      目の細かい消泡層
３ａ    目の細かい消泡層の浸潤高さより上部
４      濾過層
４ａ    濾過層の浸潤高さより上部
５Ａ    間隙
５Ｂ    間隙
６      血液流入口
７      ハウジング本体
７３    血液流出部
８      蓋体
８１    静脈血流入用ポート
８３    吸引血流入用ポート
９      静脈血濾過部
９ａ    緩やかな斜面
１０    可撓管
１３    受け皿
１３ａ  排出口
【図１】
0004332969.tif 000003
【図２】
0004332969.tif 000004
【図３】
0004332969.tif 000005
【図４】
0004332969.tif 000006
【図５】
0004332969.tif 000007
【図６】
0004332969.tif 000008
【図７】
0004332969.tif 000009